【手続補正書】
【提出日】平成19年7月24日(2007.7.24)
【手続補正１】
【補正対象書類名】明細書
【補正対象項目名】特許請求の範囲
【補正方法】変更
【補正の内容】
【特許請求の範囲】
【請求項１】  少なくとも一個の水素添加ブロック重合体および反応性のテーラード液状ポリウレタン、エラストマー状のまたはスルホン化したエチレン／ビニル芳香族インターポリマー、エラストマー状のエチレン／Ｃ３−Ｃ２０のα−オレフィンインターポリマー、Ｃ３−Ｃ２０のα−オレフィン／共役ジエンインターポリマー、エラストマー状のポリプロピレン重合体、高性能ポリプロピレン重合体、エラストマー状の熱可塑性ポリウレタン、弾性ポリエステル、部分水素添加ブロック重合体、弾性ポリアミド、水酸基官能型ポリエーテルまたはポリエーテルアミン、スチレン／共役ジエンインターポリマー、およびメタロセン触媒で合成したエラストマー状の重合体又はブレンド物またはそれらの組み合わせからなる群から選ばれる少なくとも一個の他の重合体からなる弾性物品であって、該水素添加ブロック重合体がｉ）水素添加前の共役ジエンモノマー単位対ビニル芳香族モノマー単位の重量比が６０以上対４０であり；ｉｉ）水素添加前の重量平均分子量（Ｍｗ）が３０，０００から１５０，０００であって、そこでの各ビニル芳香族モノマー単位（ａ）が５，０００から４５，０００の重量平均分子量Ｍｗａをもちそして各水素添加共役ジエンモノマー単位（ｂ）が１２，０００から１１０，０００の重量平均分子量Ｍｗｂをもち；そしてｉｉｉ）各ビニル芳香族モノマー単位が９０％以上の水素添加レベルまで水素添加されまた各共役ジエンモノマー単位ブロックが９５％以上の水素添加レベルまで水素添加されるようなＵＶ−ＶＩＳ分光計およびプロトンＮＭＲ分析を用いて決定される水素添加レベルをもつことで特徴づけられる実質上水素添加されたブロック重合体であることを特徴とする弾性物品。
【請求項２】  物品が不織布部分を持つ複合体を構成しており、かつレッグギャザー、脚バンド、サイドパネルまたはウェストバンドからなる請求項１記載の弾性物品。
【請求項３】  物品がフィルム、シート、被覆、バンド、ストリップ、プロフィール（異形材）、成形体、フォーム、テープ、布帛、糸、フィラメント、リボン、繊維、ヤーンまたは繊維状ウェブの形態である請求項１記載の弾性物品。
【請求項４】  物品が不織布のストリップまたはリボンである請求項３記載の弾性物品。
【請求項５】  物品が繊維の形態であり、繊維がモノフィラメント、２成分または多成分繊維である請求項３記載の弾性物品。
【請求項６】  繊維がＸ線照射、電子線照射、シラン硬化、スルホン化、フッソ化またはコロナ放電によって表面処理または架橋されたものである請求項５記載の弾性物品。
【請求項７】  物品が接着可能な繊維からなり、繊維が熱、超音波、電波振動、ホットメルト接着剤またはそれらの組み合わせで接着可能である請求項１記載の弾性物品。
【請求項８】  繊維が芯／鞘構造の形態である請求項１記載の弾性物品。
【請求項９】  鞘が芯を形成する材料より高い軟化点と融点をもつ材料である請求項８記載の弾性物品。
【請求項１０】  鞘が芯を形成する材料より低い軟化点と融点をもつ材料である請求項８記載の弾性物品。
【請求項１１】  鞘が熱可塑性エポキシ、ポリアクリレート、ポリエチレン、エチレン／ビニル芳香族インターポリマー、ポリエチレン／無水マレイン酸グラフトポリマー、エチレン／アクリル酸インターポリマー、スチレンアクリレート、ポリウレタンまたはマレエート化ポリマーから選ばれる材料である請求項８記載の弾性物品。
【請求項１２】  マレエート化ポリマーがマレエート化ポリプロピレンである請求項１１記載の弾性物品。
【請求項１３】  物品が芯／鞘構造の繊維である請求項８記載の弾性物品。
【請求項１４】  弾性物品が比弾性材料と組合せた物品である請求項３記載の弾性物品。
【請求項１５】  請求項１記載の弾性物品および吸収材芯材料からなる複合吸収材要素。
【請求項１６】  その要素が少なくとも１つの流体捕捉部材、流体分配部材、流体保存部材および流体捕捉部材と流体分配部材の組合せから選ばれる少なくとも１つの流体処理部材である請求項１５記載の複合吸収材要素。
【請求項１７】  さらに接着材料、複数の接着繊維、トップシートまたはバックシートをもつ請求項１５記載の複合吸収材要素。
【請求項１８】  流体処理部材が層の形状をもつ請求項１６記載の複合吸収材要素。
【請求項１９】  流体処理部材が不織材料からなり、不織材料がスパンボンド繊維またはメルトブロー繊維からなる請求項１６の複合吸収材要素。
【請求項２０】  不織材料がカール状の、自己ちぢれ状の、２成分の、多成分の、先端３裂片の、接着した、多成分要素の、ミクロファイバーの、キャピラリのまたは中空の繊維からなる請求項１５記載の複合吸収材要素。
【請求項２１】  不織材料が芯／鞘構造をもつ繊維からなり、鞘が熱可塑性エポキシ、ポリアクリレート、ポリエチレン、エチレン／ビニル芳香族インターポリマー、ポリエチレン／無水マレイン酸グラフトポリマー、エチレン／アクリル酸インターポリマー、スチレンアクリレート、ポリウレタンまたはマレエート化ポリマーから選ばれる材料である請求項１６記載の複合吸収材要素。
【請求項２２】  繊維が表面処理した繊維であり、表面処理がプラズマ、コロナ、スルホン化またはアジド処理を含む請求項１９記載の複合吸収材要素。
【請求項２３】  吸収材芯材料がフォーム材料である請求項１５記載の複合吸収材要素。
【請求項２４】  吸収材芯材料が反応性のテーラード液状ポリウレタン、エラストマー状のまたはスルホン化したエチレン／ビニル芳香族インターポリマー、エラストマー状のエチレン／Ｃ３−Ｃ２０のα−オレフィンインターポリマー、Ｃ３−Ｃ２０のα−オレフィン／共役ジエンインターポリマー、エラストマー状のポリプロピレン重合体、高性能ポリプロピレン重合体、エラストマー状の熱可塑性ポリウレタン、弾性ポリエステル、部分水素添加ブロック重合体、弾性ポリアミド、水酸基官能型ポリエーテル（またはポリエーテルアミン）、スチレン／共役ジエンインターポリマー、およびメタロセン触媒で合成したエラストマー状の重合体またはそれらの組み合わせのブレンド物からなる請求項１５記載の複合吸収材要素。
【請求項２５】  吸収材芯材料が請求項１記載の水素添加ブロック重合体からなる請求項１５記載の複合吸収材要素。
【請求項２６】  吸収材芯材料がメルトブロー超吸収性ポリマー複合体フォーム構造からなる請求項１５記載の複合吸収材要素。
【請求項２７】  吸収材芯材料が多層からなる請求項１５記載の複合吸収材要素。
【請求項２８】  多層が異なった重合体組成からなる請求項２７記載の複合吸収材要素。
【請求項２９】  多層の各々が、独立に、スパンボンド繊維の層、熱接着した繊維の層、超音波接着した繊維の層、電波振動で接着した繊維の層またはホットメルト接着剤で接着した繊維の層である請求項２７記載の複合吸収材要素。
【請求項３０】  吸収材芯材料が多葉形状の繊維からなる請求項１５記載の複合吸収材要素。
【請求項３１】  トップシートまたはバックシートが請求項１７記載の水素化ブロックポリマーからなる請求項１７記載の複合吸収材要素。
【請求項３２】  トップシートまたはバックシートがさらに反応性のテーラード液状ポリウレタン、エラストマー状のまたはスルホン化したエチレン／ビニル芳香族インターポリマー、エラストマー状のエチレン／Ｃ３−Ｃ２０のα−オレフィンインターポリマー、Ｃ３−Ｃ２０のα−オレフィン／共役ジエンインターポリマー、エラストマー状のポリプロピレン重合体、高性能ポリプロピレン重合体、エラストマー状の熱可塑性ポリウレタン、弾性ポリエステル、部分水素添加ブロック重合体、弾性ポリアミド、水酸基官能型ポリエーテルまたはポリエーテルアミン、スチレン／共役ジエンインターポリマー、およびメタロセン触媒で合成したエラストマー状の重合体またはそれらの組み合わせのブレンド物からなる請求項３１記載の複合吸収材要素。
【請求項３３】  トップシート、バックシートまたはそれら両者がフッ素化された表面をもつスパンボンド繊維またはフッ素化された表面をもつめるとブロー繊維からなる請求項１７記載の複合吸収材要素。
【請求項３４】  トップシート、バックシートまたはそれら両者が少なくとも１つのエチレン／スチレンインターポリマーからなる請求項１７記載の複合吸収材要素。
【請求項３５】  レジャー用、スポーツ用、産業用、医療または衛生用の衣類の形態である請求項４〜７のいずれか１項記載の弾性物品。
【請求項３６】  医療用の衣類が手術用のガウンまたはキャップである請求項３５記載の弾性物品。
【請求項３７】  弾性物品が足カバーまたは靴カバーからなる物品に含まれている請求項１記載の弾性物品。
【請求項３８】  産業用の衣類が危険化学スーツまたは使いすてブラジャーである請求項３５記載の弾性物品。
【請求項３９】  衛星用の衣類がパンティー、活動着、スポーツウエア、運動着、寝巻き、スカート、ズボン、ブラウス、作業着、作業ズボン（つなぎ）、ジャンプ用スーツ、アンダースカート、下着またはスカートである請求項３５記載の弾性物品。
【請求項４０】  スポーツ用の衣類が運動用ジャージー、エアロビック用ショーツ、ジムショーツ、運動用パンツまたはランニングショーツである請求項３５記載の弾性物品。
【請求項４１】  繊維厚さが０．１μから２４ミル（０．６１ｍｍ）の範囲である請求項４０記載の弾性物品。
【請求項４２】  少なくとも一個のその他の重合体材料が均一に分岐したエチレン重合体である請求項１記載の弾性物品。
【請求項４３】  均一に分岐したエチレン重合体が均一に分岐した線状エチレン重合体である請求項４２記載の弾性物品。
【請求項４４】  均一に分岐した線状エチレン重合体が示差走査熱量計、ＤＳＣで−３０℃と１５０℃の間に単一の融解ピークを示すことによって特徴づけられる請求項４３記載の弾性物品。
【請求項４５】  均一に分岐したエチレン重合体が（ａ）メルトフローレイシオ、Ｉ10／Ｉ２≧５．６３、（ｂ）ゲルパーミエーションクロマトグラフィーで決定される分子量分布、Ｍｗ／Ｍｎが（Ｍｗ／Ｍｎ）≦（Ｉ10／Ｉ２）−４．６３で定義され、（ｃ）実質上線状のエチレン重合体の表面溶融破壊の開始点における臨界せん断速度が線状エチレン重合体の表面溶融破壊の開始点における臨界せん断速度の少なくとも５０％以上であり、実質上線状のエチレン重合体と線状エチレン重合体が同じ一個のコモノマーまたは複数のコモノマーからなり、線状エチレン重合体が実質上線状のエチレン重合体の１０％以内のＩ２とＭｗ／Ｍｎをもちそして実質上線状のエチレン重合体と線状エチレン重合体のそれぞれの臨界せん断速度がガスエクストルージョン流量計を用い同一の融点で測定されたものであり、そして（ｄ）示差走査熱量計、ＤＳＣで−３０℃と１５０℃の間に単一の融解ピークを示すことで特徴づけられる実質上均一に分岐した線状エチレン重合体である請求項４２記載の弾性物品。
【請求項４６】  少なくとも１個の他の重合体が示差走査熱量計で決定される２３℃における結晶性が４５重量％かそれ以下であるポリオレフィンエラストマーまたはプラストマーである請求項１記載の弾性物品。
【請求項４７】  ポリオレフィンが２０重量％かそれ以下である示差走査熱量計で決定される２３℃における結晶性を有する請求項４６記載の弾性物品。
【請求項４８】  重合体がポリプロピレンである請求項４６記載の弾性物品。
【請求項４９】  ポリプロピレンが非晶性のポリプロピレン重合体である請求項４８記載の弾性物品。
【請求項５０】  実質上水素添加されたブロック重合体が水素添加の前に２個のビニル芳香族モノマー単位と１個の共役ジエンモノマー単位を有するトリブロックである請求項１記載の弾性物品。
【請求項５１】  少なくとも一個のビニル芳香族モノマー単位ブロックがスチレンからなる請求項５０記載の弾性物品。
【請求項５２】  共役ジエンモノマー単位ブロックがブタジェンである請求項５０記載の弾性物品。